(57)【要約】【課題】ＲＡ手順における適切なＲＡプリアンブルの送信を実現するための技術を提供することである。【解決手段】本発明の一態様は、ユーザ装置との無線通信を制御する通信制御部と、前記ユーザ装置とのランダムアクセス（ＲＡ）手順を処理するＲＡ手順処理部と、を有する基地局であって、前記ＲＡ手順処理部は、ＲＡプリアンブルを送信可能な無線リソースへの前記ＲＡプリアンブルの最大多重数を前記ユーザ装置に通知する基地局に関する。【選択図】図８
2020065094.tif 000002
【特許請求の範囲】
【請求項１】
ユーザ装置との無線通信を制御する通信制御部と、
前記ユーザ装置とのランダムアクセス（ＲＡ）手順を処理するＲＡ手順処理部と、
を有する基地局であって、
前記ＲＡ手順処理部は、ＲＡプリアンブルを送信可能な無線リソースへの前記ＲＡプリアンブルの最大多重数を前記ユーザ装置に通知する基地局。
【請求項２】
前記最大多重数は、周波数リソース多重数、時間リソース多重数及びプリアンブルインデックス数の１つ以上により示される、請求項１記載の基地局。
【請求項３】
前記ＲＡ手順処理部は、前記無線通信の通信品質に対応する最大多重数を前記ユーザ装置に通知する、請求項１又は２記載の基地局。
【請求項４】
前記ＲＡ手順処理部は、前記ＲＡプリアンブルの異なる送信時に対して異なる最大多重数を設定する、請求項１乃至３何れか一項記載の基地局。
【請求項５】
基地局との無線通信を制御する通信制御部と、
前記基地局とのランダムアクセス（ＲＡ）手順を処理するＲＡ手順処理部と、
を有するユーザ装置であって、
前記ＲＡ手順処理部は、ＲＡプリアンブルを送信可能な無線リソースへの前記ＲＡプリアンブルの最大多重数に従って前記無線リソースに多重した前記ＲＡプリアンブルを前記基地局に送信するユーザ装置。
【請求項６】
前記最大多重数は、周波数リソース多重数、時間リソース多重数及びプリアンブルインデックス数の１つ以上により示される、請求項５記載のユーザ装置。
【請求項７】
前記通信制御部は、前記無線通信の通信品質を測定し、
前記ＲＡ手順処理部は、前記測定した通信品質に対応する最大多重数に従って前記ＲＡプリアンブルを前記無線リソースに多重する、請求項５又は６記載のユーザ装置。
【請求項８】
前記ＲＡ手順処理部は、前記ＲＡプリアンブルの異なる送信時に対して設定された異なる最大多重数に従って前記ＲＡプリアンブルを前記無線リソースに多重する、請求項５乃至７何れか一項記載のユーザ装置。
【発明の詳細な説明】
【技術分野】
【０００１】
本発明は、無線通信システムに関する。
【背景技術】
【０００２】
現在、ＬＴＥ（Ｌｏｎｇ  Ｔｅｒｍ  Ｅｖｏｌｕｔｉｏｎ）及びＬＴＥ−Ａｄｖａｎｃｅｄの後継の無線通信システムとして、第５世代（５Ｇ）又はＮＲ（Ｎｅｗ  ＲＡＴ）システムの仕様が策定されている。ＮＲのランダムアクセス（ＲＡ）手順では、特に高周波数帯域において、基地局とユーザ装置との間で送受信ビームフォーミングが適用されることが検討されている。ビームフォーミングを適用して信号を送信する場合、基地局又はユーザ装置は、ビーム探索（ｂｅａｍ  ｓｗｅｅｐｉｎｇ）等を実行することによって、通信相手側で受信品質が良好になるように送信ビーム（Ｔｘ−ｂｅａｍ）の方向を決定することが考えられている。同様に、ビームフォーミングを適用して信号を受信する場合も、基地局又はユーザ装置は、通信相手側からの受信品質が良好になるように受信ビーム（Ｒｘ−ｂｅａｍ）の方向を決定することが考えられている。ここで、基地局からの信号送信に用いられるビームはＢＳ送信ビームと呼ばれ、基地局が信号受信に用いるビームはＢＳ受信ビームと呼ばれることがある。また、ユーザ装置からの信号送信に用いられるビームはＵＥ送信ビームと呼ばれ、ユーザ装置が信号受信に用いるビームはＵＥ受信ビームと呼ばれることがある。なお、一部の信号送受信はオムニ送信／受信となる可能性がある。
【０００３】
例えば、ＲＡ手順は、図１に示される処理シーケンスにより実行されうる。図１に示されるように、基地局（ＢＳ）は、セルにおいてブロードキャスト信号又は同期信号（ＳＳ）を定期的に送信している。例えば、これらブロードキャスト信号又は同期信号（ＳＳ）はｂｅａｍ  ｓｗｅｅｐｉｎｇされて送信される。当該セルに在圏するユーザ装置（ＵＥ）は、基地局との無線接続を確立するため、受信したブロードキャスト信号又は同期信号に示されたリソース領域においてＲＡプリアンブル（Ｍｅｓｓａｇｅ  １）を基地局に送信する。様々な方向にビーム制御されたブロードキャスト信号又は同期信号を受信すると、ユーザ装置は、図２に示されるように、最適に受信できたブロードキャスト信号又は同期信号を選択し、選択したブロードキャスト信号又は同期信号に対応するＲＡＣＨ（Ｒａｎｄｏｍ  Ａｃｃｅｓｓ  Ｃｈａｎｎｅｌ）リソースサブセットにおいてＲＡプリアンブルを基地局に送信する。
【０００４】
基地局は、ＲＡプリアンブルに対してＲＡレスポンス（Ｍｅｓｓａｇｅ  ２）をユーザ装置に返す。例えば、図２に示されるように、基地局は、受信ビーム探索を行いながらユーザ装置から送信されるＲＡプリアンブルを受信する。このとき、基地局は、ＲＡプリアンブルを受信したＲＡＣＨリソースサブセットの位置に基づき、ユーザ装置にとって最適なＵＥ受信ビームに対応するＢＳ送信ビームを決定することができる。
【０００５】
その後、基地局とユーザ装置との間でメッセージ３（Ｍｅｓｓａｇｅ  ３）及びメッセージ４（Ｍｅｓａｇｅ  ４）がやりとりされ、無線接続が確立される。
【先行技術文献】
【非特許文献】
【０００６】
【非特許文献１】３ＧＰＰ  ＴＳ  ３６．３２１  Ｖ１４．１．０（２０１６−１２）
【非特許文献２】Ｒ１−１７０１４６２
【非特許文献３】Ｒ１−１７００６１４
【非特許文献４】Ｒ１−１６１０９６２
【非特許文献５】Ｒ１−１６１３５４３
【非特許文献６】Ｒ１−１６１３２８１
【発明の概要】
【発明が解決しようとする課題】
【０００７】
例えば、ユーザ装置における送受信ビーム対応関係がない場合、すなわち、ユーザ装置においてチャネルレシプロシティが利用できない場合、ブロードキャスト信号又は同期信号のＵＥ受信ビームを活用して、ＵＥ送信ビームを決定することはできない。この場合、短時間でより多数のＵＥ送信ビームを試すことによってランダムアクセス遅延の低減を図るか、あるいは、以降のＲＡ手順やデータ送信等のために早い段階で適切なＵＥ送信ビームに関する情報の取得を図ることが考えられる。このため、図３に示されるように、ユーザ装置がＲＡＣＨリソースサブセット内の周波数及び／又は時間方向において、ビーム制御されたＲＡプリアンブルを多重して送信できるようにすることが考えられている。
【０００８】
ＬＴＥについて、例えば、ＴＤＤ（Ｔｉｍｅ  Ｄｉｖｉｓｉｏｎ  Ｄｕｐｌｅｘｉｎｇ）では上りリソースが限定されているため、複数パターンのＲＡプリアンブルのための周波数リソースが用意され、ユーザ装置は、そのうちの何れかの周波数リソースを選択し、当該周波数リソースによって１つのＲＡプリアンブルを送信し、衝突確率を減らすことが図られている。例えば、ＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ）にはＲＡプリアンブルの周波数／時間リソース情報が含まれており、ユーザ装置は、例えばＰＤＣＣＨ（Ｐｈｙｓｉｃａｌ  Ｄｏｗｎｌｉｎｋ  Ｃｏｎｔｒｏｌ  Ｃｈａｎｎｅｌ）をモニタリングし、ＣＲＣ（Ｃｙｃｌｉｃ  Ｒｅｄｕｎｄａｎｃｙ  Ｃｈｅｃｋ）部分にＲＡ−ＲＮＴＩをマスキングすることで、受信したＲＡレスポンス（ＲＡＲ）が何れの周波数／時間リソースのＲＡプリアンブルに対するＲＡＲであるか特定できる。
【０００９】
ＮＲでも同様に、ユーザ装置がＲＡＲを受信する際に何れの周波数／時間リソースのＲＡプリアンブルに対するＲＡＲであるか特定することを可能にするための手法が導入される可能性があり、周波数及び／又は時間方向にＲＡプリアンブルを多重する際に、当該周波数／時間リソース情報を活用できると考えられる。また、ＬＴＥでは、ＲＡＲ内に対応するプリアンブルインデックス情報が含まれており、ＮＲでも同様に、何れのプリアンブルインデックスに対するＲＡＲであるか判断することが可能であると考えられる。
【００１０】
なお、ランダムアクセスの衝突確率は、ＲＡプリアンブルの周波数リソース量、時間リソース量及びプリアンブルインデックス量に依存する。理想的には、周波数リソース、時間リソース又はプリアンブルインデックスの何れか１つが異なれば、ＲＡプリアンブルの衝突を回避できると考えられている。
【００１１】
一方、図４に示されるように、ユーザ装置がＲＡＣＨリソースサブセット内において多数の周波数／時間リソースを用いてＲＡプリアンブルを送信することを可能にした場合、各リソース内において他のユーザ装置からのＲＡプリアンブルとの衝突確率が高くなる。すなわち、ユーザ装置が必要以上に多くの周波数／時間リソースを使用した場合、周波数／時間リソースの相違によるユーザ装置間のＲＡプリアンブルの衝突回避が困難になる。
【００１２】
また、あるリソース内において電力差の大きなＲＡプリアンブルが送信されると（例えば、基地局近傍のユーザ装置とセル端のユーザ装置から送信されるＲＡプリアンブル）、それらが異なるＲＡプリアンブル系列のプリアンブルであったとしても、基地局は、これらのＲＡプリアンブル（例えば小さな電力のプリアンブル）を適切に受信できない可能性がある。すなわち、大きな電力のＲＡプリアンブルが多くの周波数／時間リソースにおいて送信された場合、小さな電力のＲＡプリアンブルを送信したユーザ装置は、基地局との無線接続を確立することが困難になる。
【００１３】
さらに、多数の周波数／時間リソースにおいてＲＡプリアンブルが送信されると、周囲に対する干渉の影響が大きくなると予想される。
【００１４】
上述した問題点を鑑み、本発明の課題は、ＲＡ手順における適切なＲＡプリアンブルの送信を実現するための技術を提供することである。
【課題を解決するための手段】
【００１５】
上記課題を解決するため、本発明の一態様は、ユーザ装置との無線通信を制御する通信制御部と、前記ユーザ装置とのランダムアクセス（ＲＡ）手順を処理するＲＡ手順処理部と、を有する基地局であって、前記ＲＡ手順処理部は、ＲＡプリアンブルを送信可能な無線リソースへの前記ＲＡプリアンブルの最大多重数を前記ユーザ装置に通知する基地局に関する。
【発明の効果】
【００１６】
本発明によると、ＲＡ手順における適切なＲＡプリアンブルの送信を実現することができる。
【図面の簡単な説明】
【００１７】
【図１】図１は、ランダムアクセス手順を示すシーケンス図である。
【図２】図２は、ＲＡＣＨリソースサブセットを示す図である。
【図３】図３は、ＲＡＣＨリソースサブセット内におけるプリアンブル送信を示す図である。
【図４】図４は、ＲＡＣＨリソースサブセット内におけるプリアンブル送信例を示す図である。
【図５】図５は、本発明の一実施例による無線通信システムを示す概略図である。
【図６】図６は、本発明の一実施例による基地局の機能構成を示すブロック図である。
【図７】図７は、本発明の一実施例によるユーザ装置の機能構成を示すブロック図である。
【図８】図８は、本発明の一実施例によるプリアンブル送信を示す図である。
【図９】図９は、本発明の一実施例によるプリアンブル送信を示す図である。
【図１０】図１０は、本発明の一実施例による基地局及びユーザ装置のハードウェア構成を示すブロック図である。
【発明を実施するための形態】
【００１８】
以下、図面に基づいて本発明の実施の形態を説明する。
【００１９】
以下の実施例では、ビーム制御されたＲＡプリアンブルを無線リソースに多重可能なＲＡ手順を実行する基地局及びユーザ装置が開示される。後述される実施例によると、基地局は、ＲＡプリアンブルを送信可能な無線リソースに多重されるＲＡプリアンブルの最大多重数をユーザ装置に通知し、ユーザ装置は、通知された最大多重数に従って無線リソースにＲＡプリアンブルを多重して基地局に送信する。
【００２０】
まず、図５を参照して、本発明の一実施例による無線通信システムを説明する。図５は、本発明の一実施例による無線通信システムを示す概略図である。
【００２１】
図５に示されるように、無線通信システム１０は、基地局１００及びユーザ装置２００を有する。以下の実施例では、無線通信システム１０は、３ＧＰＰのＲｅｌ−１４以降の規格に準拠した無線通信システム（例えば、５Ｇ又はＮＲシステム）であるが、本発明はこれに限定されるものでなく、プリコーディングされたＲＡプリアンブルを無線リソースに多重可能なＲＡ手順が適用される他の何れかの無線通信システムであってもよい。
【００２２】
基地局１００は、１つ以上のセルを提供し、ユーザ装置２００と無線通信する。図示された実施例では、１つの基地局１００しか示されていないが、一般には、無線通信システム１０のサービスエリアをカバーするよう多数の基地局１００が配置される。
【００２３】
ユーザ装置２００は、スマートフォン、携帯電話、タブレット、ウェアラブル端末、Ｍ２Ｍ（Ｍａｃｈｉｎｅ−ｔｏ−Ｍａｃｈｉｎｅ）用通信モジュールなどの無線通信機能を備えた何れか適切な情報処理装置であり、基地局１００に無線接続し、無線通信システム１０により提供される各種通信サービスを利用する。
【００２４】
以下の実施例では、ＲＡプリアンブルを送信可能な無線リソースにおいて、ユーザ装置２００は、プリコーディング又はビーム制御されたＲＡプリアンブルを当該無線リソースに多重して、基地局１００に送信することが可能である。
【００２５】
次に、図６を参照して、本発明の一実施例による基地局を説明する。図６は、本発明の一実施例による基地局の機能構成を示すブロック図である。
【００２６】
図６に示されるように、基地局１００は、通信制御部１１０及びＲＡ手順処理部１２０を有する。
【００２７】
通信制御部１１０は、ユーザ装置２００との無線通信を制御する。具体的には、通信制御部１１０は、ダウンリンク／アップリンク制御信号及びダウンリンク／アップリンクデータ信号などの各種無線信号を無線リソースに割当て、割り当てた無線リソースによってユーザ装置２００とダウンリンク及びアップリンク通信を実行する。また、通信制御部１１０は、送信対象の無線信号の送信ビームを生成し、生成した送信ビームをユーザ装置２００に送信する。
【００２８】
ＲＡ手順処理部１２０は、ユーザ装置２００とのランダムアクセス（ＲＡ）手順を処理すると共に、ＲＡプリアンブルを送信可能な無線リソースへのＲＡプリアンブルの最大多重数をユーザ装置２００に通知する。上述したように、各ユーザ装置２００が、ＲＡプリアンブルを送信可能な無線リソース（例えば、ＲＡＣＨリソースサブセット）内の任意の周波数／時間リソース量を用いてＲＡプリアンブルを送信することが許容された場合、各ユーザ装置２００は、必要以上に多くの周波数／時間リソース量にＲＡプリアンブルを多重する可能性がある。この場合、ユーザ装置間のＲＡプリアンブルの衝突確率が増加するなど、各ユーザ装置２００に対してＲＡ手順を実行することが困難になる。このため、ＲＡ手順処理部１２０は、各ユーザ装置２００が多重することを許容されるＲＡプリアンブルの最大多重数を通知してもよい。例えば、ＲＡ手順処理部１２０は、当該最大多重数をブロードキャスト信号、同期信号、ダウンリンク制御情報（ＤＣＩ）又はＲＲＣ（Ｒａｄｉｏ  Ｒｅｓｏｕｒｃｅ  Ｃｏｎｔｒｏｌ）シグナリングによって通知してもよい。あるいは、当該最大多重数は仕様で予め規定されてもよい。
【００２９】
次に、図７を参照して、本発明の一実施例によるユーザ装置を説明する。図７は、本発明の一実施例によるユーザ装置の機能構成を示すブロック図である。
【００３０】
図７に示されるように、ユーザ装置２００は、通信制御部２１０及びＲＡ手順処理部２２０を有する。
【００３１】
通信制御部２１０は、基地局１００との無線通信を制御する。具体的には、通信制御部２１０は、ダウンリンク／アップリンク制御信号及びダウンリンク／アップリンクデータ信号などの各種無線信号を基地局１００との間で送受信する。また、通信制御部２１０は、基地局１００からビーム制御された無線信号を受信すると共に、送信対象の無線信号のための送信ビームを基地局１００に送信する。
【００３２】
ＲＡ手順処理部２２０は、基地局１００とのランダムアクセス（ＲＡ）手順を処理すると共に、ＲＡプリアンブルを送信可能な無線リソースへのＲＡプリアンブルの最大多重数に従って無線リソースに多重したＲＡプリアンブルを基地局１００に送信する。具体的には、ＲＡ手順処理部２２０は、基地局１００から通知された最大多重数以下のＲＡプリアンブルをＲＡプリアンブル送信用の無線リソースに多重して、当該ＲＡプリアンブルが多重された無線信号を基地局１００に送信する。例えば、ＲＡ手順処理部２２０は、当該最大多重数をブロードキャスト信号、同期信号、ダウンリンク制御情報（ＤＣＩ）又はＲＲＣシグナリングによって受信してもよい。あるいは、当該最大多重数は仕様で予め規定されてもよい。
【００３３】
一実施例では、当該最大多重数は、周波数リソース多重数、時間リソース多重数、周波数時間リソース合計多重数及びプリアンブルインデックス数の１つ以上により示されてもよい。例えば、ＲＡ手順処理部１２０が、ユーザ装置２００がＲＡプリアンブルを送信可能な周波数リソース多重数及び／又は時間リソース多重数をユーザ装置２００に通知すると、ＲＡ手順処理部２２０は、通知された周波数リソース多重数及び／又は時間リソース多重数以下のＲＡプリアンブルを周波数リソース及び時間リソースに多重して基地局１００に送信してもよい。例えば、図８に示された例では、周波数リソース多重数、時間リソース多重数及びプリアンブルインデックス数がそれぞれ、２、３及び２として設定され、ＲＡ手順処理部２２０は、設定された周波数リソース多重数及び時間リソース多重数に従って２種類のビーム制御されたＲＡプリアンブルを基地局１００に送信しており、これら２つのプリアンブルインデックスは同一であっても良いし異なっていても良い、つまりプリアンブルインデックス数が１、もしくは２となる。なお、周波数リソース多重数及び／又は時間リソース多重数は、例えば、ユーザ装置２００が多重可能な周波数リソース位置及び／又は時間リソース位置により示されてもよい。また、時間リソース多重数というのは、プリアンブルフォーマット内に含まれるプリアンブル数としても良いし、プリアンブルフォーマットで指定される単位を１としてその数としても良い。本実施例によると、ユーザ装置２００により送信されるＲＡプリアンブル数を制限することが可能になり、ユーザ装置間のＲＡプリアンブルの衝突確率の増加などによるＲＡ手順の失敗を低減することが可能になる。
【００３４】
また、一実施例では、ＲＡ手順処理部１２０は、基地局１００とユーザ装置２００との間の無線通信の通信品質に対応する最大多重数をユーザ装置２００に通知してもよい。また、通信制御部２１０は、基地局１００とユーザ装置２００との間の無線通信の通信品質を測定し、ＲＡ手順処理部２２０は、測定した通信品質に対応する最大多重数に従ってＲＡプリアンブルを無線リソースに多重してもよい。具体的には、各通信品質に対応する最大多重数が基地局１００によって通知されるか、あるいは、仕様により規定されているとき、通信制御部２１０は、基地局１００から受信したブロードキャスト信号又は同期信号に基づき、基地局１００とユーザ装置２００との間の無線通信のパスロス、受信品質などの通信品質を測定する。そして、ＲＡ手順処理部２２０は、基地局１００から通知された、又は仕様により規定された各通信品質に対応する最大多重数のうち、測定された通信品質に対応する最大多重数を特定し、特定した最大多重数に従ってＲＡプリアンブルを無線リソースに多重して、ＲＡプリアンブルが多重された無線信号を基地局１００に送信してもよい。ここで、各通信品質に対応する最大多重数は、テーブル形式、関数形式などにより表現されてもよい。例えば、通信品質が高い（パスロスが小さいなど）場合、最大多重数は相対的に小さな値に設定されてもよく、通信品質が低い（パスロスが大きいなど）場合、最大多重数は相対的に大きな値に設定されてもよい。これにより、基地局１００の近くにあるユーザ装置２００には、他のユーザ装置２００からのＲＡプリアンブルをブロックしないように小さな最大多重数を設定し、基地局１００から遠くにあるユーザ装置２００には、基地局１００によるＲＡプリアンブルの受信機会が増えるように大きな最大多重数を設定するようにしてもよい。本実施例によると、基地局１００とユーザ装置２００との間の通信品質に応じて適切な多重数によりＲＡプリアンブルを送信することが可能になる。
【００３５】
また、一実施例では、ＲＡ手順処理部１２０は、ＲＡプリアンブルの異なる送信時に対して異なる最大多重数を設定してもよい。また、ＲＡ手順処理部２２０は、ＲＡプリアンブルの異なる送信時に対して設定された異なる最大多重数に従ってＲＡプリアンブルを無線リソースに多重してもよい。例えば、ＲＡ手順処理部１２０は、ＲＡプリアンブルの初送時の最大多重数と再送時の最大多重数とを異なる値に設定し、ブロードキャスト信号、同期信号、ダウンリンク制御情報（ＤＣＩ）又はＲＲＣシグナリングにより異なる最大多重数を通知してもよい。あるいは、初送時と再送時で異なる最大多重数が仕様によって予め規定されてもよい。例えば、再送時の最大多重数は、図９に示されるように、初送時のものより大きな値に設定されてもよい。これは、初送時にはＲＡプリアンブルが基地局１００に受信されなかったため、再送時にはより多くのＲＡプリアンブルを送信し、基地局１００におけるＲＡプリアンブルの受信確率を増加させるためである。ＲＡ手順処理部２２０は、基地局１００により通知された又は仕様により規定された異なる最大多重数に従って、各送信機会に異なる数のＲＡプリアンブルを基地局１００に送信してもよい。本実施例によると、前回の送信時にＲＡプリアンブルが基地局１００により適切に受信されなかった場合、異なる多重数によりＲＡプリアンブルを送信することが可能になり、再送時のＲＡプリアンブルの受信成功確率を向上させることができる。
【００３６】
また、最大多重数は、再送をトリガさせる条件に応じて設定されてもよい。例えば、ユーザ装置２００が基地局１００から初送時のＲＡプリアンブルに対するＲＡＲを受信できなかったため、ＲＡプリアンブルを再送する場合、ＲＡ手順処理部２２０は、再送時にはより多くのＲＡプリアンブルを基地局１００に送信してもよい。これにより、多くのＵＥ送信ビーム及び／又はより細かいＵＥ送信ビームを試すことも可能になり、また周波数ダイバーシティ効果も期待できる。あるいは、Ｍｅｓｓａｇｅ  ４におけるｃｏｎｔｅｎｔｉｏｎ  ｒｅｓｏｌｕｔｉｏｎの衝突のためＲＡプリアンブルを再送する場合、ＲＡ手順処理部２２０は、再送時にはより少ないＲＡプリアンブルを基地局１００に送信してもよい。これは、衝突が多発している可能性が考えられ、必要以上にＲＡプリアンブルを多重させないようにするためである。本実施例によると、再送トリガ条件に応じて、再送時の最大多重数を適切に調整することが可能になる。
【００３７】
また、一実施例では、ＲＡ手順処理部１２０は、ユーザ装置２００によるＲＡＲの受信時までに、周波数／時間リソース情報及び／又はプリアンブルインデックス情報をユーザ装置２００に通知してもよい。ここで、周波数／時間リソース情報は、ユーザ装置２００がＲＡプリアンブルを送信可能な無線リソースの周波数／時間位置を示すものであり、プリアンブルインデックス情報は、ＲＡプリアンブルを特定するための情報である。例えば、周波数／時間リソース情報及び／又はプリアンブルインデックス情報は、ＲＡ−ＲＮＴＩに含まれてもよいし、あるいは、ＲＡＲに含まれてもよい。例えば、ＬＴＥと同様に、周波数／時間リソース情報はＲＡ−ＲＮＴＩに含まれ、プリアンブルインデックス情報はＲＡＲに含まれてもよい。あるいは、周波数／時間リソース情報はＲＡＲに含まれ、プリアンブルインデックス情報はＲＡ−ＲＮＴＩに含まれてもよい。または、これらの組み合わせの何れかにより、周波数／時間リソース情報及び／又はプリアンブルインデックス情報は、ユーザ装置２００に通知されてもよい。また、周波数／時間リソース情報及び／又はプリアンブルインデックス情報は、ＲＡＲのリソース位置で通知されてもよいし、あるいは、Ｍｅｓｓａｇｅ  ３  ｇｒａｎｔのリソース位置との相対位置等の対応関係によって通知されてもよい。あるいは、周波数／時間リソース情報及び／又はプリアンブルインデックス情報は、ＲＡＲに対応するＲＡプリアンブルのリソース位置との相対位置等の対応関係によって通知されてもよい。本実施例によると、ＲＡ手順に必要な周波数／時間リソース情報及び／又はプリアンブルインデックス情報を様々な方法によりユーザ装置２００に通知することが可能になる。
【００３８】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００３９】
例えば、本発明の一実施の形態における基地局１００及びユーザ装置２００は、本発明の無線通信方法の処理を行うコンピュータとして機能してもよい。図１０は、本発明の一実施例による基地局１００及びユーザ装置２００のハードウェア構成を示すブロック図である。上述の基地局１００及びユーザ装置２００は、物理的には、プロセッサ１００１、メモリ１００２、ストレージ１００３、通信装置１００４、入力装置１００５、出力装置１００６、バス１００７などを含むコンピュータ装置として構成されてもよい。
【００４０】
なお、以下の説明では、「装置」という文言は、回路、デバイス、ユニットなどに読み替えることができる。基地局１００及びユーザ装置２００のハードウェア構成は、図に示した各装置を１つ又は複数含むように構成されてもよいし、一部の装置を含まずに構成されてもよい。
【００４１】
基地局１００及びユーザ装置２００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００４２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の各構成要素は、プロセッサ１００１で実現されてもよい。
【００４３】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１００及びユーザ装置２００の各構成要素による処理は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００４４】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００４５】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００４６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の各構成要素は、通信装置１００４で実現されてもよい。
【００４７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００４８】
また、プロセッサ１００１やメモリ１００２などの各装置は、情報を通信するためのバス１００７で接続される。バス１００７は、単一のバスで構成されてもよいし、装置間で異なるバスで構成されてもよい。
【００４９】
また、基地局１００及びユーザ装置２００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００５０】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００５１】
本明細書で説明した各態様／実施例は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００５２】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００５３】
本明細書において基地局１００によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【００５４】
情報等は、上位レイヤ(または下位レイヤ)から下位レイヤ(または上位レイヤ)へ出力され得る。複数のネットワークノードを介して入出力されてもよい。
【００５５】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００５６】
判定は、１ビットで表される値（０か１か）によって行われてもよいし、真偽値（Boolean：trueまたはfalse）によって行われてもよいし、数値の比較（例えば、所定の値との比較）によって行われてもよい。
【００５７】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００５８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００５９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６０】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６１】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００６２】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００６３】
本明細書で使用する「システム」および「ネットワーク」という用語は、互換的に使用される。
【００６４】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００６５】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００６６】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【００６７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００６８】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００６９】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００７０】
参照信号は、ＲＳ（Reference Signal）と略称することもでき、適用される標準によってパイロット（Pilot）と呼ばれてもよい。
【００７１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７２】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００７３】
上記の各装置の構成における「手段」を、「部」、「回路」、「デバイス」等に置き換えてもよい。
【００７４】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（or）」は、排他的論理和ではないことが意図される。
【００７５】
無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各移動局に無線リソース（各移動局において使用することが可能な周波数帯域幅や送信電力等）を割り当てるスケジューリングを行う。スケジューリングの最小時間単位をＴＴＩ（Ｔｒａｎｓｍｉｓｓｉｏｎ  Ｔｉｍｅ  Ｉｎｔｅｒｖａｌ）と呼んでもよい。例えば、1サブフレームをＴＴＩと呼んでもよいし、複数の連続したサブフレームをＴＴＩと呼んでもよいし、１スロットをＴＴＩと呼んでもよい。リソースブロック（ＲＢ）は、時間領域および周波数領域のリソース割当単位であり、周波数領域では１つまたは複数個の連続した副搬送波（ｓｕｂｃａｒｒｉｅｒ）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【００７６】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００７７】
１０  無線通信システム
１００  基地局
１１０  通信制御部
１２０  ＲＡ手順処理部
２００  ユーザ装置
２１０  通信制御部
２２０  ＲＡ手順処理部
【図１】
2020065094.tif 000003
【図２】
2020065094.tif 000004
【図３】
2020065094.tif 000005
【図４】
2020065094.tif 000006
【図５】
2020065094.tif 000007
【図６】
2020065094.tif 000008
【図７】
2020065094.tif 000009
【図８】
2020065094.tif 000010
【図９】
2020065094.tif 000011
【図１０】
2020065094.tif 000012